(57)【要約】【課題】ＤＶＤ−ＲやＤＶＤ−ＲＡＭなど異なる規格の光ディスクに情報の記録再生を行う光ヘッドが要求されている。【解決手段】光源より出射される楕円のビームを円形に整形する光ヘッドにおいて、ビーム整形方向を光ディスクのトラック方向に対して略４５度とした。これにより、温度変化などの環境変化や経時変化などによって非点収差が発生しても、光ディスクに形成されるスポットの半径方向のスポット径の変化を低減することができ、ＬＰＰやＣＡＰＡなどのアドレス再生が良好に行える。【選択図】  図１
2004227641.tif 000002
【特許請求の範囲】
【請求項１】
光源と、前記光源から出射する楕円のビームの少なくとも一方向のビーム径を拡大または縮小させて略円形に整形するビーム整形手段と、前記略円形のビームを光情報記録媒体に集光する対物レンズを備える光ヘッドにおいて、前記ビーム整形手段のビーム整形方向と前記光情報記録媒体のトラック方向の成す角度が略４５度であることを特徴とする光ヘッド。
【請求項２】
前記ビーム整形手段はプリズムであることを特徴とする請求項１記載の光ヘッド。
【請求項３】
前記ビーム整形手段はシリンドリカル面を有するレンズであることを特徴とする請求項１記載の光ヘッド。
【請求項４】
光源と、光透過性の平板と、対物レンズを備え、前記光源から出射するビームは前記平板を透過し、前記対物レンズにより光情報記録媒体に集光される光ヘッドにおいて、前記平板の低次の振動様式の節線と前記光情報記録媒体のトラック方向の成す角度が略４５度であることを特徴とする光ヘッド。
【請求項５】
前記平板の形状は正方形または長方形であり、前記平板の一辺と前記光情報記録媒体のトラック方向の成す角度が略４５度であることを特徴とする請求項４記載の光ヘッド。
【請求項６】
前記平板は波長板であることを特徴とする請求項４記載の光ヘッド。
【請求項７】
前記平板はホログラムであることを特徴とする請求項４記載の光ヘッド。
【請求項８】
前記平板は回折格子であることを特徴とする請求項４記載の光ヘッド。
【請求項９】
前記平板は光量減衰素子であることを特徴とする請求項４記載の光ヘッド。
【請求項１０】
前記平板は位相段差を有することを特徴とする請求項４記載の光ヘッド。
【請求項１１】
前記平板は液晶素子であることを特徴とする請求項４記載の光ヘッド。
【請求項１２】
前記平板はカバーガラスであることを特徴とする請求項４記載の光ヘッド。
【請求項１３】
前記平板は反射ミラーであることを特徴とする請求項４記載の光ヘッド。
【請求項１４】
前記平板は開口フィルターであることを特徴とする請求項４記載の光ヘッド。
【請求項１５】
請求項１〜請求項１４記載のいずれかの光ヘッドと、前記光ヘッドと光情報記録媒体を相対的に移動させる回転系もしくは移送系と、前記光ヘッドから得られる信号に基づいて前記光ヘッド、前記回転系、前記移送系を制御する制御回路を有する光情報記録再生装置。
【請求項１６】
請求項１５記載の光情報記録再生装置を外部記憶装置として備えるコンピュータ。
【請求項１７】
請求項１５記載の光情報記録再生装置を備え、光情報記録媒体に映像を記録したり、再生する映像記録再生装置。
【請求項１８】
請求項１５記載の光情報記録再生装置を備え、光情報記録媒体から映像を再生する映像再生装置。
【請求項１９】
請求項１５記載の光情報記録再生装置を外部記憶装置として備えるサーバー。
【請求項２０】
請求項１５記載の光情報記録再生装置を外部記憶装置として備えるカーナビゲーションシステム。
【発明の詳細な説明】
【０００１】
【発明の属する技術分野】
本発明は、光ヘッドから光情報記録媒体に光を照射して情報の記録または再生を行う光情報記録再生装置に関するものである。
【０００２】
【従来の技術】
高密度、大容量の光情報記録媒体としてＤＶＤ（Ｄｉｇｉｔａｌ  Ｖｅｒｓａｔｉｌｅ  Ｄｉｓｋ）と呼ばれる光ディスクがある。このような光ディスクは画像、音楽、コンピュータデータを記録する記録媒体として、最近急速に普及しつつある。
【０００３】
情報の追記が可能な光ディスクであるＤＶＤ−Ｒなどにおいては、アドレス情報を記録したＬＰＰ（Ｌａｎｄ  Ｐｒｅ−Ｐｉｔ）を予め光ディスクに形成しておき、情報の記録または再生を行う際に、このＬＰＰを検出することによりアドレス情報の取得を行っている。図１５に示すように、光ディスクには情報トラックとしてのグルーブ１５と、ガイドトラックとしてのランド１６が交互に形成されている。グルーブ１５には光ヘッドより照射されるスポットＳにより、情報マークの記録が行われる。ランド１６にはアドレス情報を記録しているＬＰＰ１７が予め形成されている。
【０００４】
一方、情報の繰り返し記録が可能な光ディスクであるＤＶＤ―ＲＡＭにおいては、アドレス情報としてＣＡＰＡ（Ｃｏｍｐｌｅｍｅｎｔａｒｙ  Ａｌｌｏｃａｔｅｄ  Ｐｉｔ  Ａｄｄｒｅｓｓ）が予め光ディスクに形成されている。図１６に示すように、光ディスクにはグルーブ１５と、ランド１６が交互に形成されている。情報マークはグルーブ１５のみならず、ランド１６にも記録している。グルーブ１５またはランド１６に対し、１／２トラック分ずれた位置にアドレス情報を記録しているＣＡＰＡ１８が予め形成されている。
【０００５】
このように、ＤＶＤ−ＲやＤＶＤ−ＲＡＭなど複数の規格の光ディスクに記録や再生を行う光ヘッドの従来例を図１３に示す。光ディスク２１０に光を照射して記録または再生を行う光ヘッド２０９には光源２０１が搭載される。光源２０１から出射されるビームの形状は楕円であり、その短辺と長辺の比はほぼ１：３程度となっている。一般に、光ディスク２１０の記録面上での光パワーを大きくするために、ビーム形状を円形に整形するビーム整形光学系が用いられる（例えば特許文献１参照）。
【０００６】
ビーム整形光学系を用いた光ヘッドの構成を図１３を用いて説明する。光源２０１から出射した楕円のビームＡは集光レンズ２０２により略平行なビームＢとなり、ビーム整形プリズム２０３を透過することによりビーム形状が整形され、円形のビームＣとなる。ビームＣは分岐プリズム２０４を透過し、ミラー２０５により反射して、対物レンズ２０６により集光されて、光ディスク２１０に照射される。図１３中に、ミラー２０５と対物レンズ２０６を側面から見た図を同時に示している。光ディスク２１０で反射したビームは逆の経路をたどり、分岐プリズム２０４で反射して、検出レンズ２０７で集光され検出器２０８で検出される。
【０００７】
このような光ヘッド２０９においては、光源２０１と集光レンズ２０２の間隔が変化することで、ビームＢが平行から若干のずれを生じて発散、もしくは収束の非平行なビームとなる。この非平行なビームがビーム整形プリズム２０３を透過すると、非点収差が発生する。そのため、光源２０１と集光レンズ２０２の間隔を精度良く調整を行っている。
【０００８】
非点収差が生じたときの光ディスク２１０に形成されるスポットを図１４（ａ）、図１４（ｂ）に示す。図中、情報トラックであるグルーブ１５とトラック方向を示している。図のように、非点収差があるスポットＳの形状は楕円となる。また、図１３に示すように、ビーム整形方向と光ディスク２１０のトラック方向は直交しているので、非点収差があるスポットＳの形状はトラック方向に対して、縦長あるいは横長となる。このような楕円のスポットは、グルーブ１５に記録された情報の再生には問題ないが、スポットの捜査線上から半径方向（トラック方向と直交する方向）にずれた位置にあるＬＰＰ１７やＣＡＰＡ１８（図１５、図１６参照）を再生するときに支障をきたす。
【０００９】
図１７に非点収差に対するＬＰＰ１７とＣＡＰＡ１８の再生特性を示す。横軸は非点収差、縦軸はデフォーカスマージンを示す。ＣＡＰＡ１８に対して十分なデフォーカスマージンを得るにはＷＡ１の非点収差に調整する必要がある。一方、ＬＰＰ１７に対して十分なデフォーカスマージンを得るにはＷＡ２の非点収差に調整する必要がある。このように、ＬＰＰ１７およびＣＡＰＡ１８のそれぞれに対して最適な非点収差が異なるのは、非点収差がスポットの大きさに関係していることと、ＬＰＰ１７やＣＡＰＡ１８のフォーマット形式が異なることに起因する。そこで、ＬＰＰ１７とＣＡＰＡ１８の両方のデフォーカスマージンを得るために、ＷＡ３の非点収差になるように調整している。
【００１０】
【特許文献１】
特開平７−１８２６８５号公報（第４−５頁、第１１図）
【００１１】
【発明が解決しようとする課題】
ところが、ＬＰＰ１７とＣＡＰＡ１８の両方のデフォーカスマージンを得ようとすると、許容される非点収差の範囲は狭くなってしまう。光源２０１と集光レンズ２０２の間隔を精度良く調整しても、温度変化などの環境変化や経時変化によってその間隔が変化し、非点収差が発生してしまう。その結果、ＬＰＰ１７やＣＡＰＡ１８の再生に支障をきたし、アドレス情報の取得が得られず、良好な情報の記録や再生が行えないという問題がある。
【００１２】
本発明は、ＬＰＰ１７やＣＡＰＡ１８の再生に支障をきたすことなく、アドレス情報の取得ができ、良好な情報の記録や再生が行える光ヘッド、光ヘッドを用いた情報記録再生装置、情報記録再生装置を用いたコンピュータ、映像記録再生装置、映像再生装置、サーバー、カーナビゲーションシステムを得ることを目的とする。
【００１３】
【課題を解決するための手段】
本発明の光ヘッドは、光源と、前記光源から出射する楕円のビームの少なくとも一方向のビーム径を拡大または縮小させて略円形に整形するビーム整形手段と、前記略円形のビームを光情報記録媒体に集光する対物レンズを備える光ヘッドであって、前記ビーム整形手段のビーム整形方向と前記光情報記録媒体のトラック方向の成す角度が略４５度であることを特徴とする。このような構成にすることにより、ＤＶＤ−ＲやＤＶＤ−ＲＡＭなどのアドレス再生が正常に行われるので情報を安定に記録または再生することが可能となる。
【００１４】
また、ビーム整形手段はプリズムであることを特徴とする。このような構成にすることにより、製造が容易なプリズムを用いた安価な光ヘッドが得られる。
【００１５】
また、ビーム整形手段はシリンドリカル面を有するレンズであることを特徴とする。このような構成にすることにより、小型の光ヘッドが得られる。
【００１６】
本発明の光ヘッドは、光源と、光透過性の平板と、対物レンズを備え、前記光源から出射するビームは前記平板を透過し、前記対物レンズにより光情報記録媒体に集光される光ヘッドであって、前記平板の低次の振動様式の節線と前記光情報記録媒体のトラック方向の成す角度が略４５度であることを特徴とする。このような構成にすることにより、接着剤による歪みに起因する非点収差の影響を抑えて、良好な記録再生が行える。
【００１７】
また、平板の形状は正方形または長方形であり、前記平板の一辺と前記光情報記録媒体のトラック方向の成す角度が略４５度であることを特徴とする。このような構成にすることにより、接着剤による歪みに起因する非点収差の影響を抑えて、良好な記録再生が行える。
【００１８】
また、平板は波長板であることを特徴とする。このような構成にすることにより、非点収差を抑えて光の偏光状態を変化させることができる。
【００１９】
また、平板はホログラムであることを特徴とする。このような構成にすることにより、非点収差を抑えて光を回折することができる。
【００２０】
また、平板は回折格子であることを特徴とする。このような構成にすることにより、非点収差を抑えて光を回折することができる。
【００２１】
また、平板は光量減衰素子であることを特徴とする。このような構成にすることにより、非点収差を抑えて光量を減衰することができる。
【００２２】
また、平板は位相段差を有することを特徴とする。このような構成にすることにより、非点収差を抑えて光の位相を変化させることができる。
【００２３】
また、平板は液晶素子であることを特徴とする。このような構成にすることにより、非点収差を抑えて光の位相を変化させることができる。
【００２４】
また、平板はカバーガラスであることを特徴とする。このような構成にすることにより、非点収差を抑えてカバーをすることができる。
【００２５】
また、平板は反射ミラーであることを特徴とする。このような構成にすることにより、非点収差を抑えてビームを反射させることができる。
【００２６】
また、平板は開口フィルターであることを特徴とする。このような構成にすることにより、非点収差を抑えて開口を制限することができる。
【００２７】
本発明の光情報記録再生装置は、本発明の光ヘッドと、前記光ヘッドと光情報記録媒体を相対的に移動させる回転系もしくは移送系と、前記光ヘッドから得られる信号に基づいて前記光ヘッド、前記回転系、前記移送系を制御する制御回路を有することを特徴とする。このような構成にすることにより、ＤＶＤ−ＲやＤＶＤ−ＲＡＭなど異なる光ディスクを使用できる。
【００２８】
本発明のコンピュータは、本発明の光情報記録再生装置を外部記憶装置として備えることを特徴とする。このような構成にすることにより、ＤＶＤ−ＲやＤＶＤ−ＲＡＭなど異なる光ディスクを使用できる。
【００２９】
本発明の映像記録再生装置は、本発明の光情報記録再生装置を備え、光情報記録媒体に映像を記録したり、再生することを特徴とする。このような構成にすることにより、ＤＶＤ−ＲやＤＶＤ−ＲＡＭなど異なる光ディスクを使用できる。
【００３０】
本発明の映像再生装置は、本発明の光情報記録再生装置を備え、光情報記録媒体から映像を再生することを特徴とする。このような構成にすることにより、ＤＶＤ−ＲやＤＶＤ−ＲＡＭなど異なる光ディスクを使用できる。
【００３１】
本発明のサーバーは、本発明の光情報記録再生装置を外部記憶装置として備えることを特徴とする。このような構成にすることにより、ＤＶＤ−ＲやＤＶＤ−ＲＡＭなど異なる光ディスクを使用できる。
【００３２】
本発明のカーナビゲーションシステムは、本発明の光情報記録再生装置を外部記憶装置として備えることを特徴とする。このような構成にすることにより、ＤＶＤ−ＲやＤＶＤ−ＲＡＭなど異なる光ディスクを使用できる。
【００３３】
【発明の実施の形態】
以下に、本発明の実施の形態について図１〜図１２を用いて説明する。以下の各図面の同一符号は同様の作用をなすものを表す。
【００３４】
（実施の形態１）
本発明の実施の形態１の光ヘッドを図１に示す。光源１から出射した楕円の（発散）ビームＡは集光レンズ２により略平行なビームＢとなり、ビーム整形プリズム３を透過することによりビーム形状が整形され、略円形のビームＣとなる。ビームＣは分岐プリズム４を透過し、ミラー５により反射して、対物レンズ６により集光されて、光ディスク１０に照射される。図１中に、ミラー５と対物レンズ６を側面から見た図を同時に示している。光ディスク１０で反射したビームは逆の経路をたどり、分岐プリズム４で反射して、検出レンズ７で集光され検出器８で検出される。
【００３５】
光源１から出射されるビームの形状は楕円であり、その短辺と長辺の比はほぼ１：３程度である。ビーム整形プリズム３により、短辺と長辺の比を１：１から１：２程度になるようにビーム形状を整形することで、光ディスク１０の記録面上での光パワーを大きくしている。
【００３６】
従来例との差異は、ビーム整形プリズム３のビーム整形方向がトラック方向に対して略４５度となるように光ヘッド９の光学系を構成している点である。
【００３７】
図３に、ＤＶＤ−Ｒを再生する場合のスポットＳの状態を示している。情報トラックとしてのグルーブ１５と、ガイドトラックとしてのランド１６が交互に形成されており、ランド１６にはアドレス情報を記録しているＬＰＰ１７が予め形成されている。温度変化などによる環境変化や経時変化によって、光源１と集光レンズ２の間隔が変化して非点収差が発生すると、スポットＳの形状はトラック方向に対して斜めの楕円となる。これは、ビーム整形方向がトラック方向に対して略４５度としているためである。つまり、非点収差が生じてスポットＳの形状が変化しても、スポットＳの径が大きく変化する方向は半径方向（トラック方向と直交する方向）に対し略４５度傾いているので、従来例のようにスポットＳの径が大きく変化する方向が半径方向とした場合に比べ、半径方向（トラック方向と直交する方向）のスポット径の変化は低減されることになるのでＬＰＰ１７の良好な再生を維持できる。
【００３８】
図４に、ＤＶＤ−ＲＡＭを再生する場合のスポットＳの状態を示している。グルーブ１５と、ランド１６は交互に形成されており、グルーブ１５またはランド１６に対し、１／２トラック分ずれた位置にアドレス情報を記録しているＣＡＰＡ１８が予め形成されている。この場合においても、上記した理由と同様の理由によりスポットＳの半径方向のスポット径の変化は低減されているので、ＣＡＰＡ１８の良好な再生を維持できる。
【００３９】
ＬＰＰ１７やＣＡＰＡ１８は、スポットＳの捜査線上から半径方向にずれた位置にあるため、アドレス再生においては非点収差の影響を大きく受けてしまう。従来例では非点収差によるスポットＳの形状変化がアドレス再生に直接、影響を与えていたが、本発明の実施の形態１によれば、半径方向のスポット径の変化が低減されているため、アドレス再生が良好に行える。
【００４０】
さらに、半径方向のスポット径の変化を抑えたことにより、クロストークが改善されるという効果も生まれる。
【００４１】
（実施の形態２）
本発明の実施の形態２の光ヘッドを図２に示す。実施の形態１との差異は、ビーム整形レンズ４３を用いた点であり、その他の構成の説明は省略する。
【００４２】
光源１から出射した楕円の（発散）ビームＡはビーム整形レンズ４３を透過することによりビームＡの形状が整形され、略円形のビームＢとなり、集光レンズ２により略平行なビームＣとなる。ビーム整形レンズ４３は、例えば入射面と出射面をそれぞれシリンドリカル面としたものである。ビーム整形レンズ４３を用いることで光ヘッド１９を小型にすることができる。このような光ヘッド１９の構成においても、温度変化などによる環境変化や経時変化によって、光源１とビーム整形レンズ４３の間隔が変化することにより非点収差が発生する。
【００４３】
ビーム整形レンズ４３のビーム整形方向を光ディスク１０のトラック方向に対して略４５度とすることにより、半径方向（トラック方向と直交する方向）のスポット径の変化は低減され、ＬＰＰ１７やＣＡＰＡ１８の良好な再生が行える。
【００４４】
さらに、半径方向のスポット径の変化を抑えたことにより、クロストークが改善されるという効果も生まれる。
【００４５】
（実施の形態３）
本発明の実施の形態３の光ヘッドを図５に示す。ビームＤは正方形または長方形の平板２６を透過し、対物レンズ６により集光されて、光ディスク１０に照射され、情報の記録または再生が行われる。平板２６の辺２６ａは光ディスク１０のトラック方向に対して略４５度となっている。
【００４６】
図６は平板２６が変形する様子を示す図である。一般に、光ヘッドの光学部品は接着剤を用いて光学基台やアクチュエータに固定される。接着剤は温度変化などによる環境変化や経時変化によって変形、変質を伴い、光学部品に応力を発生させる。応力が発生した光学部品はその形状が最も歪みやすい方向に変形する。長方形や正方形の平板の変形を伴う最も低次の固有振動様式は図６に示した変形の動的なものであり、接着剤による応力によっても同様な変形が生じる。この変形は、平板２６を透過するビームに非点収差を発生させる。そして、非点収差の方向は、図６に示す通り、平板２６の辺２６ａと同方向または直角方向である。
【００４７】
本発明の実施の形態３では、平板２６の辺２６ａをトラック方向に対して略４５度にしているため、接着剤による応力で変形が生じて非点収差が発生しても、半径方向のスポット径の変化は低減されるので、アドレスの良好な再生が行える。
【００４８】
なお、上記では対物レンズの下に接着固定された平板について説明したが、他の光路中に置かれる平板に関しても同様である。また、この平板は、波長板、ホログラム、回折格子、光量減衰素子、位相板、液晶素子、カバーガラス、反射ミラー、開口フィルターなどであっても良い。さらに、平板の形状が正方形や長方形に限らず平行四辺形や台形等であっても、低次の固有振動様式の節線がトラック方向に対して略４５度であれば同様な効果が得られる。
【００４９】
１つの平板の変形で発生する非点収差は数ミリラムダと小さいが、光ヘッドで使用される平板は多く、合計すれば数十ミリラムダと大きくなり無視できなくなる。本発明の実施の形態３によれば、接着剤に起因する非点収差の発生が抑えられ、良好なアドレス再生が行える。
【００５０】
また、半径方向のスポット径の変化を抑えたことにより、クロストークが改善されるという効果も生まれる。
【００５１】
（実施の形態４）
図７に光情報記録再生装置としての光ディスクドライブ６７の全体の構成例を示す。光ディスク６１はターンテーブル６２とクランパー６３で挟んで固定され、モーター（回転系）６４によって回転させられる。実施の形態１〜６のいずれかに記載した光ヘッド６０はトラバース（移送系）６５上に乗っており、照射する光が光ディスク６１の内周から外周まで移動できるようにしている。制御回路６６は光ヘッド６０から受けた信号をもとにフォーカス制御、トラッキング制御、トラバース制御、モーターの回転制御等を行う。また再生信号から情報の再生や、記録信号の光ヘッド６０への送出を行う。
【００５２】
このように構成することにより、半径方向（トラック方向と直交する方向）のスポット径の変化は低減され、良好なアドレス再生が行えるので、異なる種類の光ディスクに映像を安定に記録あるいは再生でき、より信頼性の高い光情報記録再生装置を得ることができる。
【００５３】
（実施の形態５）
実施の形態４に記した光ディスクドライブ（光情報記録再生装置）を具備した、コンピュータの実施の形態を図８に示す。
【００５４】
図８において、パソコン（コンピュータ）１００は実施の形態４の光ディスクドライブ１０１と、情報の入力を行うためのキーボード１０３と、情報の表示を行うためのモニター１０２とを備える。
【００５５】
上述の実施の形態４の光ディスクドライブを外部記憶装置として具備したコンピュータは、異なる種類の光ディスクに情報を安定に記録あるいは再生でき、広い用途に使用できるという効果を有するものとなる。光ディスクドライブはその大容量性を生かして、コンピュータ内のハードディスクのバックアップをとったり、メディア（光ディスク）が安価で携帯が容易であること、他の光ディスクドライブでも情報が読み出せるという互換性があることを生かして、プログラムやデータを人と交換したり、自分用に持ち歩いたりすることができる。また、ＤＶＤやＣＤ等の既存のメディアの再生／記録にも対応できる。
【００５６】
（実施の形態６）
実施の形態４に記した光ディスクドライブ（光情報記録再生装置）を具備した、光ディスクレコーダー（映像記録再生装置）の実施の形態を図９に示す。
【００５７】
図９において、光ディスクレコーダー１１０は実施の形態４の光ディスクドライブを内蔵しており、記録している映像の表示を行うためのモニター１１１と接続されて使用される。
【００５８】
上述の実施の形態４の光ディスクドライブを具備した、光ディスクレコーダーは、異なる種類の光ディスクに映像を安定に記録あるいは再生でき、広い用途に使用できるという効果を有するものとなる。光ディスクレコーダーはメディア（光ディスク）に映像を記録し、好きな時にそれを再生することができる。光ディスクではテープのように記録後や再生後に巻き戻しの作業が必要なく、ある番組を記録しながらその番組の先頭部分を再生する追っかけ再生や、ある番組を記録しながら以前に記録した番組を再生する同時記録再生が可能となる。メディアが安価で携帯が容易であること、他の光ディスクレコーダーでも情報が読み出せるという互換性があることを生かして、記録した映像を人と交換したり、自分用に持ち歩いたりすることができる。またＤＶＤやＣＤ等の既存のメディアの再生／記録にも対応する。
【００５９】
なお、ここでは光ディスクドライブだけを備える場合について述べたが、ハードディスクを内蔵していても良いし、ビデオテープの録画再生機能を内蔵していても良い。その場合映像の一時退避や、バックアップが容易にできる。
【００６０】
（実施の形態７）
実施の形態４に記した光ディスクドライブ（光情報記録再生装置）を具備した、光ディスクプレーヤー（映像再生装置）の実施の形態を図１０に示す。
【００６１】
図１０において、液晶モニター１２０を備えた光ディスクプレーヤー１２１は実施の形態４の光ディスクドライブを内蔵しており、光ディスクに記録された映像を液晶モニター１２０に表示することができる。上述の実施の形態４の光ディスクドライブを具備した、光ディスクプレーヤーは、異なる種類の光ディスクの映像を安定に再生でき、広い用途に使用できるという効果を有するものとなる。
【００６２】
光ディスクプレーヤーはメディア（光ディスク）に記録された映像を、好きな時に再生することができる。光ディスクではテープのように再生後に巻き戻しの作業が必要なく、ある映像の任意の場所にアクセスして再生することができる。またＤＶＤやＣＤ等の既存のメディアの再生にも対応する。
【００６３】
（実施の形態８）
実施の形態４に記した光ディスクドライブ（光情報記録再生装置）を具備した、サーバーの実施の形態を図１１に示す。
【００６４】
図１１において、サーバー１３０は実施の形態４の光ディスクドライブ１３１と、情報の表示を行うためのモニター１３３と、情報の入力を行うためのキーボード１３４とを備え、ネットワーク１３５と接続されている。
【００６５】
上述の実施の形態４の光ディスクドライブを外部記憶装置として具備した、サーバーは、異なる種類の光ディスクに情報を安定に記録あるいは再生でき、広い用途に使用できるという効果を有するものとなる。光ディスクドライブはその大容量性を生かして、ネットワーク１３５からの要求に応じ、光ディスクに記録されている情報（画像、音声、映像、ＨＴＭＬ文書、テキスト文書等）を送出する。また、ネットワークから送られてくる情報をその要求された場所に記録する。また、ＤＶＤやＣＤ等の既存のメディアに記録された情報も再生が可能であるので、それらの情報を送出することも可能となる。
【００６６】
（実施の形態９）
実施の形態４に記した光ディスクドライブ（光情報記録再生装置）を具備した、カーナビゲーションシステムの実施の形態を図１２に示す。
【００６７】
図１２において、カーナビゲーションシステム１４０は実施の形態４の光ディスクドライブを内蔵しており、地形や行き先情報の表示を行うための液晶モニター１４１と接続されて使用される。
【００６８】
上述の実施の形態４の光ディスクドライブを具備した、カーナビゲーションシステムは、異なる種類の光ディスクに映像を安定に記録あるいは再生でき、広い用途に使用できるという効果を有するものとなる。カーナビゲーションシステム１４０はメディア（光ディスク）に記録された地図情報と、地上位置確定システム（ＧＰＳ）や、ジャイロスコープ、速度計、走行距離計等の情報を元に、現在位置を割り出しその位置を、液晶モニター上に表示する。また行き先を入力すると、地図情報や道路情報をもとに行き先までの最適な経路を割り出し、それを液晶モニターに表示する。
【００６９】
地図情報を記録するために大容量の光ディスクを用いることで、一枚のディスクで広い地域をカバーして細かい道路情報を提供することができる。また、その道路近辺に付随する、レストランやコンビニエンスストア、ガソリンスタンドなどの情報も同時に光ディスクに格納して提供することができる。さらに、道路情報は時間がたつと古くなり、現実と合わなくなるが、光ディスクは互換性がありメディアが安価であるため、新しい道路情報を収めたディスクと交換することで最新の情報を得ることができる。またＤＶＤやＣＤ等の既存のメディアの再生／記録にも対応するため、自動車の中で映画を見たり音楽を聴いたりすることも可能である。
【００７０】
【発明の効果】
以上のように、本発明によれば、１つの光ヘッドでＤＶＤ−ＲやＤＶＤ−ＲＡＭなど規格の異なる光ディスクに対して情報を安定に記録または再生できるという有利な効果が得られる。
【図面の簡単な説明】
【図１】本発明の実施の形態１による光ヘッドの構成を示す概略図
【図２】本発明の実施の形態２による光ヘッドの構成を示す概略図
【図３】本発明の実施の形態１のスポットとＬＰＰの関係を示す概略図
【図４】本発明の実施の形態１のスポットとＣＡＰＡの関係を示す概略図
【図５】本発明の実施の形態３の平板の取付方向を示す概略図
【図６】平板の変形の様子を説明する概略図
【図７】本発明の光ヘッドを用いた光ディスクドライブの概略図
【図８】本発明の光ディスクドライブを用いたパソコンの外観図
【図９】本発明の光ディスクドライブを用いた光ディスクレコーダーの外観図
【図１０】本発明の光ディスクドライブを用いた光ディスクプレーヤーの外観図
【図１１】本発明の光ディスクドライブを用いたサーバーの外観図
【図１２】本発明の光ディスクドライブを用いたカーナビゲーションシステムの外観図
【図１３】従来例の光ヘッドの構成を示す概略図
【図１４】従来例のスポットを説明する概略図
【図１５】従来例のスポットとＬＰＰの関係を示す概略図
【図１６】従来例のスポットとＣＡＰＡの関係を示す概略図
【図１７】ＬＰＰとＣＡＰＡの非点収差とデフォーカスマージンの関係を示す図
【符号の説明】
１  光源
２  集光レンズ
３  ビーム整形プリズム
４  分岐プリズム
５  ミラー
６  対物レンズ
７  検出レンズ
８  検出器
９，１９  光ヘッド
１０  光ディスク
１５  グルーブ
１６  ランド
１７  ＬＰＰ
１８  ＣＡＰＡ
２６  平板
４３  ビーム整形レンズ
６０  光ヘッド
６１  光ディスク
６２  ターンテーブル
６３  クランパー
６４  モーター
６５  トラバース
６６  制御回路
６７  光ディスクドライブ
１００  パソコン
１０１  光ディスクドライブ
１０２，１１１，１３３  モニター
１０３，１３４  キーボード
１１０  光ディスクレコーダー
１２０，１４１  液晶モニター
１２１  光ディスクプレーヤー
１３０  サーバー
１３１  光ディスクドライブ
１３５  ネットワーク
１４０  カーナビゲーションシステム
【図１】
2004227641.tif 000003
【図２】
2004227641.tif 000004
【図３】
2004227641.tif 000005
【図４】
2004227641.tif 000006
【図５】
2004227641.tif 000007
【図６】
2004227641.tif 000008
【図７】
2004227641.tif 000009
【図８】
2004227641.tif 000010
【図９】
2004227641.tif 000011
【図１０】
2004227641.tif 000012
【図１１】
2004227641.tif 000013
【図１２】
2004227641.tif 000014
【図１３】
2004227641.tif 000015
【図１４】
2004227641.tif 000016
【図１５】
2004227641.tif 000017
【図１６】
2004227641.tif 000018
【図１７】
2004227641.tif 000019